(57)【要約】【課題】  簡単な加飾工程でモアレ模様状の光の干渉効果による３次元的な視覚効果を容器本体で発揮できるようにすることを技術的課題とする。【解決手段】  合成樹脂製容器において、透明性の容器本体の外周面上に規則性を有するパターンを配置し、このパターンが配置された壁間での光の干渉効果により３次元的な視覚効果による加飾を施す。【選択図】図１
2006123985.tif 000002
【特許請求の範囲】
【請求項１】
透明性の容器本体(1)の外周面上に規則性を有するパターン(P)を配置し、該パターン(P)が配置された周壁間での光の干渉効果により、３次元的な視覚効果による加飾を施したことを特徴とする合成樹脂製加飾容器。
【請求項２】
容器本体(1)の外周面上を、規則性を有するパターン(P)を印刷したラベルで外装した請求項１記載の合成樹脂製加飾容器。
【請求項３】
ラベルを筒状のスリーブラベル(5)とした請求項２記載の合成樹脂製加飾容器。
【請求項４】
容器本体(1)の外周面上に直接、規則性を有するパターン(P)を印刷した請求項１記載の合成樹脂製加飾容器。
【請求項５】
容器本体(1)をＰＥＴボトルとした請求項１、２、３または４記載の合成樹脂製加飾容器。
【発明の詳細な説明】
【技術分野】
【０００１】
本発明は、容器本体に３次元的な視覚効果を与える加飾を施した合成樹脂製容器に関する。
【背景技術】
【０００２】
容器の装飾が商品力の大きな部分を占める用途においては、塗装、印刷等により装飾性を発揮させて高級感、差別感等を表出して商品イメージを大きく向上させることが望まれている。たとえば特許文献１には蓋に覆われる部位の収納容器本体の表面に有色インクで大小のドットで模様を印刷し、蓋の外表面に成形あるいは透明なインクで印刷することによって形成された大小の凸のあるドットで模様を形成することによってモアレ模様効果を付加した全体模様を持つことを特徴とする化粧品収納容器ついての記載がある。
【特許文献１】特開２００４−１８１０３７号公報
【発明の開示】
【発明が解決しようとする課題】
【０００３】
上記した特許文献１におけるモアレ模様、あるいは３次元模様（これもモアレ模様の範疇である。）を容器の形状に拠らず自在に外表面に表現することができれば非常に装飾効果の高いものとなるが、容器等の成形品では容器の外表面の所定部分に対向する内表面に模様を形成することは通常の加工法では困難であり、特許文献１のように収納容器本体と蓋の外表面に模様を形成する等、装飾可能な部位が限定されると共に、その装飾効果も限定されたものとなってしまう。また、収納容器本体と蓋といった複数の成形品に模様を形成する必要があるため、コスト高になってしまう。
【０００４】
そこで本発明は、簡単な加飾工程でモアレ模様状の光の干渉効果による３次元的な視覚効果を容器本体で発揮できるようにすることを技術的課題とする。
【課題を解決するための手段】
【０００５】
上記技術的課題を解決する方法のうち、請求項１記載の発明の手段は、合成樹脂製容器において、透明性の容器本体の外周面上に規則性を有するパターンを配置し、該パターンＰが配置された周壁間での光の干渉効果により、３次元的な視覚効果による加飾を施す。
【０００６】
発明者らは、さまざまな検討をする中で、透明な容器本体で、しかも透明な内容液であれば、容器本体の相対向する壁面間でも光の干渉効果により、モアレ模様状の３次元的な視覚効果が発揮されることを見出し、請求項１記載の構成を創案するに至った。
【０００７】
すなわち、請求項１の構成によれば、容器本体の周壁の外周面と内周面の相対向するそれぞれの部分に規則的なパターンを配置して、この周壁の肉厚を介してモアレ模様状の３次元的な視覚効果を発揮させなくても、容器本体の外周面だけに規則的なパターンを配置すればよく、従来より一般的に実施されている容器本体の加飾方法によりモアレ模様状の３次元的な視覚効果を発揮させることができる。
【０００８】
たとえば容器本体の前面壁と後面壁、あるいは円筒状の壜体胴部の全周に亘って配置された規則的なパターンが壁間で光学的に干渉をして、容器の形状、内容液のプリズム効果、容器を見る角度等によってさまざまに、またダイナミックに変化する３次元的な視覚効果を発揮させることができる。
【０００９】
また、このような製品を並べて陳列した場合、個々の容器だけでなく、容器間による光学的な干渉も観察され、陳列した領域全体としても３次元的な視覚効果が発揮される。
【００１０】
ここで、所定の規則性を有するパターンとしては、所定のピッチで平行線を並べたもの、正方格子状のもの、パンチメタル状にドットを一定の規則で配置したもの、同心円等様々な形態があり、たとえば容器本体の外周面上の全周に亘って同じパターンとすることもできるし、部分的にパターンを変化させてもよいし、パターンを連続的に徐々に変化させていくこともできる。また、パターンとは別に部分的に模様、図案、ベタ、あるいは文字等をいれることもできる。
【００１１】
そして本請求項１の構成によれば、モアレ模様状の３次元的な視覚効果を有するラベルを作製して容器に貼付する必要も無く、従来、一般的に実施しているように、たとえば壜体の胴部にラベルを貼付したり、壜体に直接印刷したり、金型加工により形成したりすることで、３次元的な視覚効果を発揮させることができる。
【００１２】
請求項２記載の発明の手段は、請求項１記載の発明において、容器本体の外周面上を、規則性を有するパターンを印刷したラベルで外装すること、にある。
【００１３】
請求項２記載の上記構成は容器本体の外周面上に規則性を有するパターンを配置する具体的な構成の一つである、ラベルをインモールドで貼付したり、後工程で貼付したり、装着したりすることにより容易に容器本体の外周面上に規則性を有するパターンを形成することができる。
【００１４】
視覚する方向を限定せず、あらゆる方向から３次元的な視覚効果を発揮させるには、ラベルに透明性の基材を使用するが、視覚する方向を限定してもよい場合、視覚する側は対向する面が視覚できるように透明性の基材を使用するが、対向する側は不透明な基材であってもよい。対向する側のラベルに不透明な基材を使用する場合、基材の容器外表面に接触する面に規則性を有するパターンを印刷する。
【００１５】
請求項３記載の発明の手段は、請求項２記載の発明において、ラベルを筒状のスリーブラベルとすること、にある。
【００１６】
請求項３記載の上記構成により、模様、図案、あるいは文字等を印刷した筒状のシュリンクラベルやストレッチラベル等のスリーブラベルはほとんどのＰＥＴボトル等に使用されており、このスリーブラベルに予め規則的なパターンを印刷しておくことにより、なんら付加的な設備や、工程を必要とせず、費用の発生もなく容器本体の外周面上に周状に規則性を有するパターンを配置することができる。たとえば壜体の胴部の全周に亘ってこのように規則性を有するパターンを配置することにより、視点によらず全角度範囲に亘ってモアレ状の３次元的な視覚効果が発揮される。
【００１７】
請求項４記載の発明の手段は、請求項１記載の発明において、容器本体の外周面上に直接、規則性を有するパターンを印刷すること、にある。
【００１８】
請求項４記載の上記構成も容器本体の外周面上に規則性を有するパターンを配置する具体的な構成の一つであり、印刷はスクリーン印刷方式やオフセット印刷方式、転写印刷方式、インクジェットプリント方式等の通常使用される印刷方式が可能である。容器本体との一体感を確保しながらパターンを配置することができ、全体として特別な工程を付加することなく上記３次元的な視覚効果による加飾性を容易に、低コストで施すことができる。
【００１９】
請求項５記載の発明の手段は、請求項１、２、３または４記載の発明において、容器本体をＰＥＴボトルとすること、にある。
【００２０】
透明性のＰＥＴボトルは、飲料用、食品用、化粧料等の様々な分野で使用されているが請求項５記載の上記構成により、今までにない装飾により、差別化した製品を低コストで提供することができる。
【発明の効果】
【００２１】
本発明は上記した構成であり、以下に示す効果を奏する。
請求項１記載の発明にあっては、容器本体の内周面に規則的なパターンを有するラベルを貼付したり、印刷したりすることなしに容器本体の外周面だけに規則的なパターンを配置すればよく、従来、一般的に実施されている容器本体の加飾方法によりモアレ模様状の３次元的な視覚効果を発揮させることができる。
【００２２】
また、容器本体全体で３次元的な視覚効果が発揮され、容器の形状、内容液のプリズム効果、容器を見る角度等によってさまざまに、またダイナミックに変化する３次元的な視覚効果を発揮させることができる。
【００２３】
請求項２記載の発明にあっては、ラベルをインモールドで貼付したり、後工程で貼付したり、装着したりすることにより、容器本体の外周面上に規則性を有するパターンを容易に配置することができる。
【００２４】
請求項３記載の発明にあっては、筒状のスリーブラベルに予め規則的なパターンを印刷しておくことにより、なんら付加的な設備や、工程を必要とせず、費用の発生もなく、従来の手法で容器本体の外周面上に周状に規則性を有するパターンを形成することができる。
【００２５】
請求項４記載の発明にあっては、容器本体への印刷はスクリーン印刷方式やオフセット印刷方式、転写印刷方式、インクジェットプリント方式等の通常使用される印刷方式が可能であり、容器本体との一体感を確保しながらパターンを配置することができ、全体として特別な工程を付加することなく３次元的な視覚効果による装飾性を容易に、低コストで施すことができる。
【００２６】
請求項５記載の発明にあっては、今までにない加飾性により差別化されたＰＥＴボトル製品を低コストで提供することができる。
【発明を実施するための最良の形態】
【００２７】
以下本発明の実施の形態を図面を参照しながら説明する。図１と図２は本発明の合成樹脂製加飾容器の一実施例を示すものである。容器本体１は２軸延伸ブロー成形による無色透明のＰＥＴボトルで、飲料用のものとして市販されているものであり、口筒部２、胴部３、底部４を有し、円筒状の胴部３を円筒状のシュリンクラベル５で外装している。
【００２８】
シュリンクラベル５には透明な基材に全面に亘って規則的なパターンＰの一つである市松模様が印刷されており、このシュリンクラベル５を加熱収縮させて、胴部３に外装させることにより、容易に透明性の容器本体１の胴部３外周面上に周状に規則性を有するパターンＰを形成することができ、周壁面間（図１では前面の壁と後方の壁の間）での光の干渉によりモアレ模様状の３次元的な視覚効果が発揮されている。
【００２９】
この光の干渉は、胴部３の壁面が円弧状にカーブしていること、内容液が透明な場合はこの内容液によるプリズム効果があること、また容器を見る角度等によって、様々に、またダイナミックに変化する３次元的な視覚効果を発揮させる。また、このような製品を並べて陳列した場合、個々の容器だけでなく、容器間による光学的な干渉も観察され、陳列した領域全体としても３次元的な視覚効果が発揮される。また、内容液が不透明な場合においても消費者が内容液を消費する度にモアレ模様が出現することとなり、趣向性が付加される。
【００３０】
なお、本発明は上記説明した実施例に限定されるものではない、
容器本体１に使用する合成樹脂はＰＥＴ樹脂の他に、ポリスチレン樹脂、アクリル樹脂、ポリ塩化ビニル樹脂、ポリオレフィン樹脂など従来より使用されている透明性を有する樹脂から適宜選択することができ、また、容器本体１は無色透明が望ましいが、着色透明であってもよい。また、二軸延伸ブロー成形の他にも中空成形、インジェクション成形、押出成形、熱成形等によって得ることができる。
【００３１】
また、容器本体の形状は円筒状の他、角柱状、円錐状、角錐状、球状、箱状等、様々な形状を選択でき、容器本体の形態はボトルの他、カップ、チューブ、ケース、パウチ等、従来からある形態が使用できる。
【００３２】
また、容器本体外周面上へのパターンＰの形成方法は、シュリンクラベル５で外装する方法の他にも、ラベルをインモールドで貼付したり、後工程で貼付することもでき、また容器本体の外周面に直接印刷することもできる。また、予め金型を加工することにより形成することもできる。また、ラベルの貼付、印刷、金型加工によるパターンＰの形成は必ずしも全周に亘る必要はなく、たとえば容器本体の前面壁と後面壁等、光学的に干渉させる相対向する面を決めて部分的にパターンＰを配置することもできる。
【００３３】
また、パターンＰを形成する方法としてラベルの貼付、印刷、金型加工による方法のうち、どれかひとつを選択してもよいが、複数を組み合わせて実施してもよい。また、ラベル貼付の場合、ラベルは必ずしも単一とは限らず、複数でもよい。
【００３４】
また、パターンＰはさまざまな態様があり、たとえば容器本体１の外周面上の全周に亘って同じパターンＰとすることもできるし、パターンＰの間隔を部分的に変化させたり、連続的に徐々に変化させることもできるし、対向する面において各々異なるパターンであってもよい。パターンＰの中にパターンＰとは間隔および／または径の異なるパターンＰ２（図示せず）を設けることにより、パターンＰ２によるモアレ模様が、パターンＰによるモアレ模様とは異なり、浮き上がって見えたり、沈み込んで見えたりする。また、パターンＰを形成する印刷色は単色であっても、多色であってもよい。
【００３５】
また、部分的にパターンＰとは別に模様、図案、あるいは文字等を入れて、３次元的な視覚効果を有するモアレ模様の中で、見る角度によりこれら図案等が浮いたような、あるいは沈んだような独特な視覚効果を付与することもできる。また、対向する面の規則性を有するパターンを覆うように所謂ベタ印刷を行うことにより、反射光によりモアレ模様が見えるようになる。この場合、規則性を有するパターンとベタ印刷の印刷色は相反する色が望ましい。ベタ印刷は対向する面に全面的に行ってもよいし、部分的であってもよい。
【産業上の利用可能性】
【００３６】
以上説明したように本発明の合成樹脂製加飾容器は簡単な構成で今までにない３次元的な視覚効果が付与されたものであり、外観により差別化された容器を低コストで提供することができ、化粧品用等の高級な加飾性を要求される分野だけでなく飲料、あるいは食品等の分野においてもより幅広い用途展開が期待できる。
【図面の簡単な説明】
【００３７】
【図１】本発明の合成樹脂製加飾容器の第１実施例を示す正面図である。
【図２】図１の容器の容器本体にシュリンクラベルを装着する状態を示す説明図である。
【符号の説明】
【００３８】
１  ；ＰＥＴボトル（容器本体）
２  ；口筒部
３  ；胴部
４  ；底部
５  ；シュリンクラベル
Ｐ  ；パターン
【図１】
2006123985.tif 000003
【図２】
2006123985.tif 000004